(57)【要約】【課題】盗難防止性を損なわず、構成を簡素化することができる車両用操舵装置を提供することにある。【解決手段】舵角検出装置５１を構成する磁石２５を車両１からから取り外すことができる。このため、磁石２５を取り外した状態においては、舵角検出装置５１は、ステアリング操舵に基づく操舵角を検出する機能を果たすことができない。また、磁石２５は、携帯機２１と一体に設けられている。従って、磁石２５を携帯機２１とともに携帯することにより、ステアリング操舵を無効化した状態で車両１を駐車可能とすることができる。他の機械的な盗難防止装置を付与する必要がなくなり、インストルメントパネル周辺に設けられる機構の構成を簡素化することができる。【選択図】      図１
2006290077.tif 000002
【特許請求の範囲】
【請求項１】
車輪と機械的な動力伝達が不能に分離されたステアリングホイールと、前記ステアリングホイールの操舵に基づく操舵角を検出する舵角検出手段と、前記車輪の角度を変更する操舵アクチュエータと、前記舵角検出手段により検出された操舵角に基づいて前記操舵アクチュエータの作動を制御する制御手段とを備えた車両用操舵装置であって、
前記舵角検出手段は、前記ステアリングホイールの操舵に基づいて変位する位置情報を提供する位置情報提供部と、
前記位置情報提供部から提供される位置情報を検出して、当該位置情報を前記ステアリングホイールの操舵角として前記制御手段に伝達する位置情報伝達部とを備え、
前記位置情報提供部は、前記ステアリングホイールに着脱可能に設けられていることを特徴とする車両用操舵装置。
【請求項２】
請求項１に記載の車両用操舵装置において、
前記位置情報伝達部は、位置情報提供部から提供される位置情報を非接触により検出することを特徴とする車両用操舵装置。
【請求項３】
請求項１又は請求項２に記載の車両用操舵装置において、
前記位置情報伝達部は、少なくとも２つ設けられ、
前記位置情報提供部は、ステアリングホイールに装着された状態で当該ステアリングホイールと一体に回転し、
前記制御手段は、いずれの位置情報伝達部が前記位置情報を検出したかに基づいて前記ステアリングホイールの操舵角を算出し、当該操舵角に基づいて前記操舵アクチュエータを制御することを特徴とする車両用操舵装置。
【請求項４】
請求項１〜請求項３のうちいずれか１項に記載の車両用操舵装置において、
前記位置情報提供部は、磁界を有する発磁部であり、
前記位置情報伝達部は、前記発磁部の磁界を検出する磁気センサであることを特徴とする車両用操舵装置。
【請求項５】
請求項１〜請求項４のうちいずれか１項に記載の車両用操舵装置において、
前記位置情報提供部は、前記制御手段との所定の無線通信によりドア錠の施錠又は解錠を許可する携帯機と一体に設けられることを特徴とする車両用操舵装置。
【請求項６】
請求項５に記載の車両用操舵装置において、
前記制御手段は、前記携帯機のトランスポンダコードと同一のトランスポンダコードを記憶するとともに、前記携帯機にトランスポンダコードを含む応答信号を送信させるためにトランスポンダ駆動電波を送信し、
前記携帯機は、前記トランスポンダ駆動電波に基づいてトランスポンダコードを含む応答信号を送信し、
前記制御手段は、携帯機から送信されてくる応答信号を受信して、互いのトランスポンダコードが一致したことを条件として前記舵角検出手段の作動を許可するようにした車両用操舵装置。
【請求項７】
請求項５又は請求項６に記載の車両用操舵装置において、
前記ステアリングホイールには、前記携帯機を着脱可能に収容するホルダが形成されていることを特徴とする車両用操舵装置。
【発明の詳細な説明】
【技術分野】
【０００１】
本発明は、車両におけるバイワイヤ方式の操舵装置に関するものである。
【背景技術】
【０００２】
バイワイヤ方式の操舵装置（ステアバイワイヤシステム）は、運転者が操作するステアリングホイールと一体に回転するステアリングシャフトの回転角度（操舵角）をセンサにて検知し、同操舵装置の制御装置が前記センサの検知結果に基づいて車輪の角度を電気的に制御するものである。このようなバイワイヤ方式の操舵装置において、盗難防止の観点からステアリングロック装置等の盗難防止装置を装備することが必要とされている。このようなステアリングロック装置としては、例えば特許文献１に示されるような構成が知られている。このステアリングロック装置は、ステアリングシャフトの回転を機械的に規制することで、ステアリングホイールの操作、ひいてはステアリング操舵を不能にするものである。車両の駐車状態においてステアリングロック装置によりステアリングシャフトの回動規制（ロック）を行うことによって盗難防止性が確保されている。
【特許文献１】特開２０００−３４４０５３号公報
【発明の開示】
【発明が解決しようとする課題】
【０００３】
ところが、上記のような盗難防止装置（ステアリングロック装置）では、独立した盗難防止装置を操舵装置（正確にはステアリングシャフト）に設けるため、ステアリングコラム内の部品点数が多くなりがちであった。
【０００４】
本発明はこうした実情に鑑みてなされたものであり、その目的は盗難防止性を損なわず、構成を簡素化することができる車両用操舵装置を提供することにある。
【課題を解決するための手段】
【０００５】
上記問題点を解決するために、請求項１に記載の発明は、車輪と機械的な動力伝達が不能に分離されたステアリングホイールと、前記ステアリングホイールの操舵に基づく操舵角を検出する舵角検出手段と、前記車輪の角度を変更する操舵アクチュエータと、前記舵角検出手段により検出された操舵角に基づいて前記操舵アクチュエータの作動を制御する制御手段とを備えた車両用操舵装置であって、前記舵角検出手段は、前記ステアリングホイールの操舵に基づいて変位する位置情報を提供する位置情報提供部と、前記位置情報提供部から提供される位置情報を検出して、当該位置情報を前記ステアリングホイールの操舵角として前記制御手段に伝達する位置情報伝達部とを備え、前記位置情報提供部は、前記ステアリングホイールに着脱可能に設けられていることを要旨とする。
【０００６】
請求項２に記載の発明は、請求項１に記載の車両用操舵装置において、前記位置情報伝達部は、位置情報提供部から提供される位置情報を非接触により検出することを要旨とする。
【０００７】
請求項３に記載の発明は、請求項１又は請求項２に記載の車両用操舵装置において、前記位置情報伝達部は、少なくとも２つ設けられ、前記位置情報提供部は、ステアリングホイールに装着された状態で当該ステアリングホイールと一体に回転し、前記制御手段は、いずれの位置情報伝達部が前記位置情報を検出したかに基づいて前記ステアリングホイールの操舵角を算出し、当該操舵角に基づいて前記操舵アクチュエータを制御することを要旨とする。
【０００８】
請求項４に記載の発明は、請求項１〜請求項３のうちいずれか１項に記載の車両用操舵装置において、前記位置情報提供部は、磁界を有する発磁部であり、前記位置情報伝達部は、前記発磁部の磁界を検出する磁気センサであることを要旨とする。
【０００９】
請求項５に記載の発明は、請求項１〜請求項４のうちいずれか１項に記載の車両用操舵装置において、前記位置情報提供部は、前記制御手段との所定の無線通信によりドア錠の施錠又は解錠を許可する携帯機と一体に設けられることを要旨とする。
【００１０】
請求項６に記載の発明は、請求項５に記載の車両用操舵装置において、前記制御手段は、前記携帯機のトランスポンダコードと同一のトランスポンダコードを記憶するとともに、前記携帯機にトランスポンダコードを含む応答信号を送信させるためにトランスポンダ駆動電波を送信し、前記携帯機は、前記トランスポンダ駆動電波に基づいてトランスポンダコードを含む応答信号を送信し、前記制御手段は、携帯機から送信されてくる応答信号を受信して、互いのトランスポンダコードが一致したことを条件として前記舵角検出手段の作動を許可するようにしたことを要旨とする。
【００１１】
請求項７に記載の発明は、請求項５又は請求項６に記載の車両用操舵装置において、前記ステアリングホイールには、前記携帯機を着脱可能に収容するホルダが形成されていることを要旨とする。
【００１２】
（作用）
請求項１に記載の発明によれば、舵角検出手段を構成する位置情報提供部をステアリングホイールから取り外すことができる。位置情報提供部を取り外した状態においては、舵角検出手段は、ステアリング操舵に基づく操舵角を検出する機能を果たすことができない。従って、位置情報提供部を携帯することにより、ステアリング操舵を無効化した状態で車両を駐車することができる。また、他の機械的な盗難防止装置を付与する必要がなくなり、インストルメントパネル周辺の構成を簡素化することができる。よって、盗難防止性を損なわず、構成を簡素化することができる。
【００１３】
請求項２に記載の発明によれば、請求項１に記載の発明の作用に加えて、非接触によって位置情報提供部の位置情報を位置情報伝達部に提供する。このため、機械的に接触させて検出する場合と比較して静寂性が高まる。また、非接触のため部品同士の磨耗等も抑制することができ、部品の寿命を延ばすことができる。
【００１４】
請求項３に記載の発明によれば、請求項１又は請求項２に記載の発明の作用に加えて、制御手段は、ステアリングホイールの相対的な操舵角に基づいて操舵アクチュエータを制御する。従って、ステアリングホイールの相対的な操舵角を検出できればよく、位置情報伝達部が位置情報を検出できるステアリングホイールにおける範囲内であれば、位置情報提供部を任意の位置に装着することができる。
【００１５】
請求項４に記載の発明によれば、請求項１〜請求項３のうちいずれか１項に記載の作用に加えて、発磁部の磁界を検出することによりステアリングホイールの位置情報が検出される。このため、既存の磁気センサを用いることができるとともに簡素な構成で舵角検出手段を構成することができる。
【００１６】
請求項５に記載の発明によれば、請求項１〜請求項４のうちいずれか１項に記載の作用に加えて、位置情報提供部は、携帯機と一体に構成されている。このため、例えばユーザが位置情報提供部を車外に持ち出すとき、携帯機を所持するだけでよい。従って、利便性が向上する。
【００１７】
請求項６に記載の発明によれば、請求項５に記載の発明の作用に加えて、携帯機に記憶されたトランスポンダコードと、制御手段に記憶されたトランスポンダコードとの両トランスポンダコードが一致した場合に、操舵検出手段の作動が可能となる。このため、操舵検出手段の位置情報提供部をステアリングホイールに装着して同操舵検出手段としての機能を有効にさせるとともに、トランスポンダコードの照合が一致しなければ操舵検出手段を機能させることができない。従って、セキュリティレベルを向上させることができる。
【００１８】
請求項７に記載の発明によれば、請求項５又は請求項６に記載の発明の作用に加えて、携帯機をステアリングホイールに設けられたホルダに収容することができる。このため、インストルメントパネルの他の場所に携帯機を挿入するスロットを設ける必要がなく、スペースを有効利用することができる。
【発明の効果】
【００１９】
本発明によれば、盗難防止性を損なわず、車両用操舵装置の構成を簡素化することができる。
【発明を実施するための最良の形態】
【００２０】
以下、本発明をバイワイヤ方式の車両用操舵装置に具体化した一実施形態を図１〜図４に従って説明する。
図１に示すように、車両１は、車両用操舵装置２、照合制御部４１、ドア錠駆動モータ６２及び一対の車輪８１を備えている。車両用操舵装置２は、ステアリングホイール１１、携帯機２１、ステアリングシャフト３１、舵角検出装置５１、制御手段としての制御装置６１及び操舵アクチュエータ７１を備えている。
【００２１】
車両用操舵装置２は、車輪８１とステアリングホイール１１とが機械的な動力伝達が不能に分離されたバイワイヤ方式の装置である。制御装置６１は、舵角検出装置５１及び操舵アクチュエータ７１と電気的に接続されている。即ち、この車両用操舵装置２は、ステアリングホイール１１の操舵角を舵角検出装置５１が電気的に検出して、その検出結果に基づいて制御装置６１が操舵アクチュエータ７１を制御して車輪８１の角度を変更させる装置である。
【００２２】
また、制御装置６１は、照合制御部４１及びドア錠駆動モータ６２とも電気的に接続されている。照合制御部４１は、車両１を駐車したときなどに、ユーザによって所持（携帯）される携帯機２１（図１に示す仮想線の携帯機２１参照）と車両周辺の所定領域内において相互通信可能となっている。制御装置６１は、携帯機２１と照合制御部４１との相互通信に基づいてドア錠駆動モータ６２を駆動させてドア錠の施解錠を行うようになっている。
【００２３】
＜ステアリングホイール１１＞
図１に示すように、ステアリングホイール１１の中心には、ステアリングシャフト３１の一端が固定されており、ステアリングシャフト３１の他端は、舵角検出装置５１に回転可能に支持されている。また、図２（ａ）に示すように、ステアリングホイール１１には、略直方体の携帯機２１を装着するホルダ１２が凹状に形成されている。ホルダ１２の形状は、前記携帯機２１と同じ直方体により形成されている。また、携帯機２１を装着した状態において、同携帯機２１の露出部２２（図２（ａ）参照）は、ステアリングホイール１１の表面（図２（ａ）における手前側）と面一となる。
【００２４】
＜携帯機２１＞
図１に示すように、携帯機２１は、送受信部２３、トランスポンダ２４、発磁部としての磁石２５を備えている。送受信部２３は受信機能及び送信機能を有し、車外の所定領域内において、照合制御部４１から送信されてくるリクエスト信号を受信する。携帯機２１は、そのリクエスト信号に含まれる通信コードと携帯機２１毎に個別に設定された通信コードとの照合を行い、該照合が一致したことを条件として、同じく携帯機２１毎に個別に設定されたＩＤコードを含むＩＤコード信号を送信する。
【００２５】
トランスポンダ２４は、制御装置６１からのトランスポンダ駆動電波を受信すると起電力を発生し、その起電力を利用して携帯機２１に予め設定されたトランスポンダコードを含む応答信号を出力するようになっている。
【００２６】
磁石２５は、携帯機２１をステアリングホイール１１に装着した状態で、磁界が舵角検出装置５１に達するだけの磁力を備えている。
＜照合制御部４１＞
図１に示すように、照合制御部４１は、車両周辺の所定領域に通信コードを含むリクエスト信号を送信して対応する携帯機２１からのＩＤコード信号を受信する。そして、自身に設定されたＩＤコードとの照合を行い、このＩＤコード照合が一致したことを条件として制御装置６１に照合一致信号を出力する。
【００２７】
＜舵角検出装置５１＞
図１及び図２（ｂ）に示すように、舵角検出装置５１は、運転席のステアリングコラム（図示略）に設けられており、磁気センサとしての複数のホールＩＣ５２（本実施形態においては「１６個」）、舵角制御部５３を備えている。舵角制御部５３は、制御装置６１、及び複数のホールＩＣ５２それぞれと電気的に接続されている。ホールＩＣ５２は、舵角検出装置５１内におけるステアリングホイール１１側に放射線状に等間隔（本実施形態において「２２．５度」間隔）で埋設されている。ホールＩＣ５２は、最下部に設けられた第１ホールＩＣ５２Ａから時計周りに第２ホールＩＣ５２Ｂ、第３ホールＩＣ５２Ｃ・・・第１６ホールＩＣ５２Ｐの順にステアリングコラム内（舵角検出装置５１内）に配置されている。なお、第１６ホールＩＣ５２Ｐにおいて第１５ホールＩＣ５２Ｏと反対側には第１ホールＩＣ５２Ａが配置されている。第１ホールＩＣ５２Ａが図２（ｂ）に示す平面視において前記携帯機２１と重なる位置にある場合、同第１ホールＩＣ５２Ａは携帯機２１に設けられた磁石２５の磁界に反応してオン作動する。第１ホールＩＣ５２Ａがオン作動すると、同第１ホールＩＣ５２Ａは、その旨を示す位置信号Ａを舵角制御部５３に出力する。また、第１ホールＩＣ５２Ａがオン作動の状態にある場合、その他の第２ホールＩＣ５２Ｂ〜第１６ホールＩＣ５２Ｐについてはオフ状態となっている。なお、第２ホールＩＣ５２Ｂ〜第１６ホールＩＣ５２Ｐが個々にオン作動した場合についても、前記第１ホールＩＣ５２Ａがオン作動した場合と同様に、位置信号Ｂ〜位置信号Ｐをそれぞれ舵角制御部５３に出力する。また、例えば、携帯機２１がステアリング操舵の右回転に基づいて第１ホールＩＣ５２Ａから離間すると、第１ホールＩＣ５２Ａは再びオフ状態となり、舵角制御部５３に何も出力しない。そして、図４（ａ）に示す平面視において携帯機２１が第２ホールＩＣ５２Ｂと重なる位置に到達すると同第２ホールＩＣ５２Ｂがオン作動する。
【００２８】
即ち、ステアリングホイール１１を回転させた場合、ステアリング操舵に基づく磁石２５の移動に伴って、ホールＩＣ５２が次々とオン又はオフ作動する。舵角制御部５３は、ホールＩＣ５２のオン又はオフ作動によって入力される位置信号（位置信号Ａ〜位置信号Ｐ）に基づいて相対的な角度（相対角）を算出する。舵角制御部５３は、位置信号Ａの次に位置信号Ｂが入力された場合、ステアリングホイール１１が右回転に回転されたと判断して、その旨を示す右舵角信号を制御装置６１に出力する。このとき、舵角制御部５３は、右周りに対して位置信号Ｂよりも位置信号Ｃ、位置信号Ｃよりも位置信号Ｄが入力されることで、ステアリングホイール１１の回転角度が大きいと判断して、その旨を示す右舵角信号を制御装置６１に出力する。一方、位置信号Ａの次に位置信号Ｐが入力された場合、ステアリングホイール１１が左回転に回転されたと判断して左舵角信号を制御装置６１に出力する。このとき、舵角制御部５３は、左周りに対して位置信号Ｐよりも位置信号Ｏ、位置信号Ｏよりも位置信号Ｎが入力されることで、ステアリングホイール１１の回転角度が大きいと判断して、その旨を示す左舵角信号を制御装置６１に出力する。なお、携帯機２１が第１ホールＩＣ５２Ａに重なった状態におけるステアリングホイール１１の位置（直進位置）で車両１の車輪８１は直進する方向を向いている。
【００２９】
＜制御装置６１＞
制御装置６１は、前記右舵角信号が入力されると、操舵アクチュエータ７１に対して車輪８１を右方向へ角度変更させる旨を示す右舵角駆動信号を出力する。また、前記左舵角信号が入力されると、操舵アクチュエータ７１に対して車輪８１を左方向へ角度変更させる旨を示す左舵角駆動信号を出力する。操舵アクチュエータ７１は、前記制御装置６１から入力される右舵角駆動信号又は左舵角駆動信号に基づいて車輪８１の角度を変更する。
【００３０】
また、制御装置６１は、前記照合制御部４１からの照合一致信号が入力されるとドア錠駆動モータ６２に対してドア錠解錠信号を出力してドア錠を解錠させる。制御装置６１は携帯機２１がステアリングホイール１１のホルダ１２に装着された際に、前記トランスポンダ駆動電波を送信する。そして、制御装置６１は、前記携帯機２１からトランスポンダコードを含む応答信号を受信する。制御装置６１はメモリ６１ａを備えており、メモリ６１ａには、予めトランスポンダコードが設定されている。制御装置６１は、前記携帯機２１から受信される応答信号に含まれるトランスポンダコードと自身のトランスポンダコードとが一致するか否かのトランスポンダ照合を行う。制御装置６１は、トランスポンダ照合が一致したことを条件として、舵角制御部５３の作動を許可する作動許可信号を同舵角制御部５３に出力する。舵角制御部５３は、制御装置６１から作動許可信号が入力されることで、前記ホールＩＣ５２から入力される位置信号Ａ〜位置信号Ｐを検出可能となっている。また、制御装置６１には、インストルメントパネルに設けられたプッシュスイッチＳＷと電気的に接続されている。制御装置６１は、前記ＩＤ照合の一致及びトランスポンダ照合の一致を条件としてプッシュスイッチＳＷが押圧されるとエンジンの始動を行うようになっている。制御装置６１は、プッシュスイッチＳＷが押圧されたときのステアリングホイール１１の状態を基準位置として設定する。即ち、プッシュスイッチＳＷが押圧されると、いずれのホールＩＣ５２（本実施形態においては第１ホールＩＣ５２Ａ）がオン作動しているかを検出する。そして、制御装置６１は、オン作動しているホールＩＣ５２を基準位置として、その基準位置からステアリングホイール１１の操舵による操舵角（相対角）を位置信号に基づいて算出して車輪８１の変更角度を決定する。
【００３１】
なお、磁石２５は位置情報提供部を構成し、ホールＩＣ５２（第１ホールＩＣ５２Ａ〜第１６ホールＩＣ５２Ｐ）は位置情報伝達部を構成する。磁石２５、ホールＩＣ５２及び舵角制御部５３から舵角検出手段が構成されている。位置信号Ａ〜位置信号Ｐ、右舵角信号及び左舵角信号から位置情報が構成されている。
【００３２】
次に、図３（ａ），（ｂ）に示すシーケンスチャートに従って、車両用操舵装置２の処理に基づいて車輪８１の角度が変更されるまでの流れについて説明する。
図３（ａ）に示すように、まず照合制御部４１は、携帯機２１から送信されるＩＤコードが自身に設定されたＩＤコードと一致するか否かを判断する（Ｓ１）。そしてＩＤ照合が一致した場合（Ｓ１でＹＥＳ）、照合制御部４１は照合一致信号を制御装置６１に出力する（Ｓ２）。そして、ここでの処理を一旦終了する。これに対して照合制御部４１は携帯機２１とのＩＤコード照合が不一致、またはＩＤコードを受信しない場合（Ｓ１でＮＯ）にはここでの処理を一旦終了する。
【００３３】
ステップＳ３で示すように、制御装置６１は、照合制御部４１から照合一致信号が入力されると、ドア錠駆動モータ６２に対してドア錠解錠信号を出力してドア錠を解錠させる。この状態において、携帯機２１を所持したユーザは車内に進入することができる。
【００３４】
次に、ユーザが携帯機２１をステアリングホイール１１のホルダ１２に装着したあとの処理について図３（ｂ）に従って説明する。
同図に示すように、携帯機２１がホルダ１２に装着されると制御装置６１は、携帯機２１から送信されるトランスポンダコードが自身に設定されたトランスポンダコードと一致するか否かを判断する（Ｓ４）。これらトランスポンダコードの照合が一致した場合（Ｓ４でＹＥＳ）、制御装置６１は、作動許可信号を舵角制御部５３に出力する（Ｓ５）。そして、ここでの処理を一旦終了する。これに対して制御装置６１は携帯機２１とのトランスポンダ照合が不一致の場合（Ｓ４でＮＯ）にはここでの処理を一旦終了する。
【００３５】
舵角制御部５３は、制御装置６１から作動許可信号が入力されることでホールＩＣ５２から入力される位置信号（位置信号Ａ〜位置信号Ｐ）の検出が可能となる（Ｓ６）。さらにはこの状態において、前記プッシュスイッチＳＷを押圧操作することでエンジンを始動させることができる。
【００３６】
次に、ステアリングホイール１１が図２（ｂ）に示す直進位置（第１ホールＩＣ５２Ａがオン作動している状態）にあって車両が直進している状態において、ユーザのステアリング操舵に基づく処理について図４（ａ），（ｂ）に従って説明する。
【００３７】
図１及び図４（ａ）に示すように、車両を少しだけ右方向に向けたい場合、ステアリングホイール１１を少しだけ右回転させる。すると、携帯機２１はステアリングホイール１１の回動動作に伴って少しだけ（本実施形態においては「２２．５度」）右回転する。そして、第１ホールＩＣ５２Ａから携帯機２１が離間することで第１ホールＩＣ５２Ａから舵角制御部５３へ出力されていた位置信号Ａは途切れ、携帯機２１と第２ホールＩＣ５２Ｂとが重なることで同第２ホールＩＣ５２Ｂはオン動作する。よって、第２ホールＩＣ５２Ｂから位置信号Ｂが舵角制御部５３へ出力される。位置信号Ｂが舵角制御部５３に入力されると、舵角制御部５３は、ステアリングホイール１１が第１ホールＩＣ５２Ａと第２ホールＩＣ５２Ｂとの角度（本実施形態においては「２２．５度」）分だけ回動したと判断する。そして、その旨を示す右舵角信号を制御装置６１へと出力する。そして、制御装置６１に右舵角信号が入力され、制御装置６１は操舵アクチュエータ７１に対して右舵角信号に基づく右舵角駆動信号を出力する。その結果、ステアリングホイール１１を２２．５度だけ右回転させた回転量に基づいて車両１が少しだけ右方向に移動するように車輪８１の角度が変更される。
【００３８】
図１及び図４（ｂ）に示すように、車両を大きく左方向に向けたい場合、ステアリングホイール１１を大きく左回転させる。すると、携帯機２１はステアリングホイール１１の回動動作に伴って大きく（本実施形態において「９０度」）左回転する。そして、第１ホールＩＣ５２Ａから携帯機２１が離間することで第１ホールＩＣ５２Ａから舵角制御部５３へ出力されていた位置信号Ａは途切れ、携帯機２１と第１３ホールＩＣ５２Ｍとが重なることで同第１３ホールＩＣ５２Ｍはオン動作する。よって、第１３ホールＩＣ５２Ｍから位置信号Ｍが舵角制御部５３へ出力される。位置信号Ｍが舵角制御部５３に入力されると、舵角制御部５３は、ステアリングホイール１１が第１ホールＩＣ５２Ａと第１３ホールＩＣ５２Ｍとの角度（本実施形態においては「９０度」）分だけ回動したと判断する。そして、その旨を示す左舵角信号を制御装置６１へと出力する。その結果、制御装置６１に左舵角信号が入力され、制御装置６１は操舵アクチュエータ７１に対して左舵角信号に基づく駆動信号を出力する。このようにして、ステアリングホイール１１を９０度だけ左回転させた回転量に基づいて車両１が大きく左方向に移動するように車輪８１の角度が変更される。
【００３９】
（実施形態の効果）
従って、上記実施形態の車両用操舵装置２によれば、以下のような効果を得ることができる。
【００４０】
（１）舵角検出装置５１を構成する磁石２５を車両１から取り外すことができる。このため、磁石２５を取り外した状態においては、舵角検出装置５１は、ステアリング操舵に基づく操舵角を検出する機能を果たすことができない。従って、磁石２５を携帯することにより、ステアリング操舵を無効化した状態で車両１を駐車可能とすることができる。また、他の機械的な盗難防止装置を付与する必要がなくなり、インストルメントパネル周辺に設けられる機構の構成を簡素化することができる。即ち、一般的には車両用操舵装置２と盗難防止装置（例えばステアリングシャフト３１の回転を機械的に規制するステアリングロック装置等）とがステアリングコラム内に収容されているが、本実施形態によれば、車両用操舵装置２のみで盗難防止性をも備えている。よって、盗難防止性を損なわず、構成を簡素化することができる。
【００４１】
（２）磁石２５の磁力を利用してホールＩＣ５２（第１ホールＩＣ５２Ａ〜第１６ホールＩＣ５２Ｐ）を非接触によりオン作動させて、ホールＩＣ５２から舵角制御部５３に磁石２５の位置信号（位置信号Ａ〜位置信号Ｐ）を出力している。このため、機械的に接触させて舵角制御部５３に位置信号を入力させるようにした場合に比べて静寂性が高まる。また、非接触のため磁石２５とホールＩＣ５２とが互いに接触しないため、それら部材の磨耗等を抑制することができる。
【００４２】
（３）制御装置６１は、プッシュスイッチＳＷが押圧されたときのステアリングホイール１１の状態を基準位置として設定する。即ち、ステアリングホイール１１の基準位置を任意に設定することができ、ユーザに最適なステアリングホイールの角度（向き）を容易に設定することができる。また、エンジンを始動させたときのステアリングホイール１１の位置が基準位置として自動的に設定されるため、毎回基準位置に戻す必要がなくなり利便性が向上する。
【００４３】
（４）磁石２５とホールＩＣ５２とによって舵角制御部５３に磁石２５の位置信号を提供するようにした。このため、簡素な構成で舵角検出装置５１及び携帯機２１を構成することができる。
【００４４】
（５）磁石２５は、携帯機２１と一体に構成されている。このため、例えばユーザが車外に持ち出すとき、携帯機２１のみを所持するだけでよい。即ち、携帯機２１とともに磁石２５を車外に持ち出すことで、ステアリング操舵を無効化した状態で車両１を駐車可能とすることができる。従って、利便性が向上する。
【００４５】
（６）携帯機２１に記憶されたトランスポンダコードと、制御装置６１のメモリ６１ａに記憶されたトランスポンダコードとにおける互いのトランスポンダコードが一致した場合に、舵角検出装置５１の舵角制御部５３の作動が可能となる。このため、携帯機２１をステアリングホイール１１に装着して同舵角制御部５３としての機能を有効にさせるとともに、トランスポンダの照合が一致しなければ舵角制御部５３を機能させることができない。従って、セキュリティレベルを向上させることができる。
【００４６】
（７）ステアリングホイール１１には、携帯機２１を装着することができるホルダ１２が形成されている。このため、インストルメントパネルの他の場所に携帯機２１を挿入するスロットを設ける必要がなく、スペースを有効利用することができる。また、携帯機２１を身に付けた状態（例えばズボンのポケットに入れた状態）で運転する場合と比較して邪魔にならない。
【００４７】
（別の実施形態）
尚、上記実施形態は以下のように変更してもよい。
・上記実施形態において、位置情報伝達部として磁気センサ（ホールＩＣ５２）を用いたが、磁気センサに限定しない。例えば、接触式の位置センサを用いてもよい。接触式の位置センサを用いた場合、例えば位置情報伝達部としてローラアーム型のスイッチを舵角検出装置５１の表面に放射線上に等間隔に配設して、位置情報提供部として前記ローラアームと接触可能な突部を有する係止部材を用いる。即ち、ステアリングホイール１１側に着脱可能な係止部材を装着して、その係止部材の突部がステアリングホイール１１と一体に回動することで、ローラアームのスイッチに接触して同スイッチをオン作動する。このような構成にしても、上記（１）と同様の効果を得ることができる。
【００４８】
・非接触式のセンサは、上記磁気センサに限定しない。即ち、非接触式の位置センサ（近接センサ）を用いてもよい。例えばフォトセンサを用いて位置情報伝達部として光を受光する受光部材を舵角検出装置５１の表面に放射線上に等間隔に配設して、位置情報提供部として光を投光する投光部材をステアリングホイール１１側に着脱可能に配設する。即ち、投光部材がステアリングホイールと一体に回転して投光部材が受光部材に対して向かい合うと、受光部材は投光部材からの光を受信してオン作動する。また、非接触式のセンサとしてブルートゥース（Ｒ）等を用いて無線通信により位置情報を検出してもよい。例えば、携帯機２１側に位置情報提供部として送信部を備え、舵角検出装置５１側に位置情報伝達部として受信部を備え、近距離無線通信を行う。このような構成にすることで、送信部から送信される位置情報をどの受信部が受信するかによってステアリングホイール１１の操舵角を検出することができる。
【００４９】
・上記実施形態において、制御装置６１はステアリングホイール１１の相対角に基づいて操舵アクチュエータ７１を制御したが、絶対角に基づいて制御してもよい。このような構成にした場合、ステアリングホイール１１の最大操舵角度を直進位置から右回転に９０度、左回転に９０度以内となるように設定する。こうすることで、各ホールＩＣ５２（第１ホールＩＣ５２Ａ〜第１６ホールＩＣ５２Ｐ）に対して１つずつ車輪８１の角度を設定すればよく、舵角制御部５３の処理を簡素化することができ、処理スピードを向上させることができる。
【００５０】
・位置情報伝達部としてホールＩＣ５２を１６個用いたが、ホールＩＣ５２の個数は１６個に限らない。例えば、ホールＩＣ５２の個数を増やすことにより、より正確なステアリングホイール１１の操舵に基づく角度を検出することができる。
【００５１】
・上記実施形態において携帯機２１を装着するホルダ１２をステアリングホイール１１の表面（シート側）に形成したが、ステアリングホイール１１の側面に形成してもよい。このような構成にした場合、ホールＩＣ５２をステアリングホイール１１の側面と対向するように配置する。このようにして、ステアリングホイール１１の操舵量を検出することができる。このため、携帯機２１を目視することができない位置に配置させることができるため見栄えが向上する。
【００５２】
・上記実施形態では、位置情報提供部としての磁石２５を携帯機２１と一体に設けたが、磁石２５と携帯機２１とを別体に設けてもよい。
・上記実施形態では、発磁部として磁石２５を用いたが、電磁石を用いてもよい。
【００５３】
・上記実施形態では、磁気センサとしてホールＩＣ５２を用いたが、磁気抵抗素子等を用いてもよい。
【図面の簡単な説明】
【００５４】
【図１】本実施形態における車両用操舵装置の電気的構成を示すブロック図。
【図２】（ａ）は本実施形態におけるステアリングホイールを示す平面図、（ｂ）は同操舵検出装置を示す平面図。
【図３】（ａ），（ｂ）本実施形態における処理動作を示すシーケンスチャート。
【図４】（ａ）はステアリングホイールを右回転させたときの状態を示す平面図、（ｂ）はステアリングホイールを左回転させたときの状態を示す平面図。
【符号の説明】
【００５５】
１…車両、２…車両用操舵装置、１１…ステアリングホイール、１２…ホルダ、２１…携帯機、２４…トランスポンダ、２５…磁石（位置情報提供部、舵角検出手段及び発磁部）、３１…ステアリングシャフト、５３…舵角制御部（舵角検出手段）、５２…ホールＩＣ（位置情報伝達部、舵角検出手段及び磁気センサ）、６１…制御装置（制御手段）、７１…操舵アクチュエータ、８１…車輪。
【図１】
2006290077.tif 000003
【図２】
2006290077.tif 000004
【図３】
2006290077.tif 000005
【図４】
2006290077.tif 000006